(57)【要約】【課題】電源投入時の突入電流を低減することができる照明装置を提供する。【解決手段】照明装置１００は、複数の電源ユニット１０、１１、複数の電源ユニット１０、１１が個別に電力を供給する複数の光源２０、２１を備える。また、電圧検出回路３０及び開閉素子４０で構成されるタイミング回路３０Ａを構成する。電圧検出回路３０は、電源ユニット１０の出力電圧が所定の閾値電圧以上になった時点で、電源ユニット１０の出力が「なし」から「あり」になったとして、出力「あり」の信号を開閉素子４０へ出力する。開閉素子４０は、電圧検出回路３０が出力した出力「あり」の信号が入力された場合、電源ユニット１１の入力側の電路を閉じる。【選択図】図１
2013251077.tif 000002
【特許請求の範囲】
【請求項１】
商用電源から電圧が印加される複数の電源ユニットと、該複数の電源ユニットが個別に電力を供給する複数の光源とを備える照明装置において、
前記複数の電源ユニットそれぞれに電圧印加を開始する時点を異ならせるタイミング回路を備えることを特徴とする照明装置。
【請求項２】
前記複数の電源ユニットから前記複数の光源に電力供給を開始する時点を同期する同期回路を備えることを特徴とする請求項１に記載の照明装置。
【請求項３】
前記タイミング回路は、
一の電源ユニットの出力の有無を検出する第１検出回路と、
該第１検出回路で出力有を検出した場合、他の電源ユニットの入力側の電路を閉じる第１スイッチ回路と
を備えることを特徴とする請求項１又は請求項２に記載の照明装置。
【請求項４】
前記同期回路は、
前記複数の電源ユニットそれぞれの出力の有無を検出する第２検出回路と、
該第２検出回路で前記複数の電源ユニットの出力有を検出した場合、該複数の電源ユニットそれぞれと前記光源との間の電路を閉じる複数の第２スイッチ回路と
を備えることを特徴とする請求項２に記載の照明装置。
【請求項５】
前記タイミング回路は、
一の電源ユニットに電圧が印加された時点から、前記第１スイッチ回路が他の電源ユニットの入力側の電路を閉じるまでの時間間隔を遅延させる遅延回路を備えることを特徴とする請求項３に記載の照明装置。
【請求項６】
前記複数の電源ユニットと、
該複数の電源ユニットそれぞれに電圧印加を開始する時点を異ならせるタイミング回路と
を有する電源ユニットの組を少なくとも２つ備え、
商用電源から電圧を印加する都度、該電圧が印加される電源ユニットの組を切り替える切替回路をさらに備えることを特徴とする請求項１から請求項５までのいずれか１項に記載の照明装置。
【発明の詳細な説明】
【技術分野】
【０００１】
本発明は、複数の電源ユニットと、複数の電源ユニットが個別に電力を供給する複数の光源とを備える照明装置に関する。
【背景技術】
【０００２】
近年、発光ダイオード（ＬＥＤ）を光源とする照明装置が様々な用途向けに開発されており、白熱電球や蛍光灯等の従来の光源を用いた照明装置に対する置換えが行われつつある。このような照明装置では、比較的多くのＬＥＤを搭載している。
【０００３】
また、１つの電源ユニット（電源回路）ですべてのＬＥＤに電力を供給すると、ＬＥＤの数が多い場合には、ＬＥＤによる電力消費も多くなるので、電源ユニットが大容量化又は大型化する。また、照明装置の形状又は大きさ、あるいは所要の配光特性等の要求により光源を適切な箇所に設けるために、ＬＥＤなどの光源を実装した基板を複数に分け、それぞれの基板に個別に電力を供給する必要性も生じる。このため、照明装置内に複数の電源回路（電源ユニット）を設け、それぞれの電源回路が個別に光源に電力を供給するように構成したものがある（特許文献１参照）。
【先行技術文献】
【特許文献】
【０００４】
【特許文献１】特開２０１２−２２８８０号公報
【発明の概要】
【発明が解決しようとする課題】
【０００５】
しかしながら、特許文献１に開示された照明装置にあっては、商用電源からの交流電圧を印加（電源投入）した場合、複数の電源回路はほぼ同時に動作を開始するので、電源回路に流入する過渡的な突入電流が電源回路の数だけ増加することになり、電源投入時の突入電流が大きくなるという問題がある。また、電源投入時の突入電流が大きくなると、商用電源からの配電設備に高調波が生じ、他の機器の誤動作、あるいは電圧低下などの影響も起こる。
【０００６】
本発明は斯かる事情に鑑みてなされたものであり、電源投入時の突入電流を低減することができる照明装置を提供することを目的とする。
【課題を解決するための手段】
【０００７】
本発明に係る照明装置は、商用電源から電圧が印加される複数の電源ユニットと、該複数の電源ユニットが個別に電力を供給する複数の光源とを備える照明装置において、前記複数の電源ユニットそれぞれに電圧印加を開始する時点を異ならせるタイミング回路を備えることを特徴とする。
【０００８】
本発明にあっては、タイミング回路は、複数の電源ユニットそれぞれに入力電圧の印加を開始する時点を異ならせる。電源ユニットに入力電圧を印加する時点は、例えば、商用周波数（５０Ｈｚ、６０Ｈｚ）の半サイクル程度ずらせばよい。これにより、それぞれの電源ユニットに流入する突入電流のタイミングをずらすことができ、照明装置全体としての突入電流を低減することができる。
【０００９】
本発明に係る照明装置は、前記複数の電源ユニットから前記複数の光源に電力供給を開始する時点を同期する同期回路を備えることを特徴とする。
【００１０】
本発明にあっては、複数の電源ユニットから複数の光源に電力を供給開始する時点を同期する同期回路を備える。複数の電源ユニットそれぞれに入力電圧を印加する時点を異ならせた場合、それぞれの光源が点灯開始する時点も異なる。利用者によっては、１つの照明装置内で、光源の点灯開始時間がずれることは見苦しいと感じることもある。同期回路を備えることにより、照明装置内の光源を同時に点灯させることができ、見苦しいと感じるような不快感を軽減することができる。
【００１１】
本発明に係る照明装置は、前記タイミング回路は、一の電源ユニットの出力の有無を検出する第１検出回路と、該第１検出回路で出力有を検出した場合、他の電源ユニットの入力側の電路を閉じる第１スイッチ回路とを備えることを特徴とする。
【００１２】
本発明にあっては、タイミング回路は、一の電源ユニットの出力の有無を検出する第１検出回路と、第１検出回路で出力有を検出した場合、他の電源ユニットの入力側の電路を閉じる第１スイッチ回路とを備える。例えば、電源が投入され、一の電源ユニットに入力電圧が印加されると、一の電源ユニットに突入電流が流れる。そして、一の電源ユニットが動作を開始し、出力電圧が出力されると、第１検出回路は、一の電源ユニットの出力有を検出し、第１スイッチ回路は、他の電源ユニットの入力側の電路を閉じる。そして、他の電源ユニットに入力電圧が印加されるので、他の電源ユニットに突入電流が流れる。これにより、一の電源ユニットに流入する突入電流と他の電源ユニットに流入する突入電流とのタイミングをずらすことができ、照明装置全体としての突入電流を低減することができる。
【００１３】
本発明に係る照明装置は、前記同期回路は、前記複数の電源ユニットそれぞれの出力の有無を検出する第２検出回路と、該第２検出回路で前記複数の電源ユニットの出力有を検出した場合、該複数の電源ユニットそれぞれと前記光源との間の電路を閉じる複数の第２スイッチ回路とを備えることを特徴とする。
【００１４】
本発明にあっては、同期回路は、複数の電源ユニットそれぞれの出力の有無を検出する第２検出回路と、第２検出回路で複数の電源ユニットの出力を検出した場合、複数の電源ユニットそれぞれと光源との間の電路を閉じる複数の第２スイッチ回路とを備える。すなわち、第２検出回路ですべての電源ユニットの出力「あり」を検出した場合、第２スイッチ回路は、すべての電源ユニットと光源との間の電路を閉じる。これにより、すべての電源ユニットからそれぞれの光源に同時に電力を供給することができ、照明装置内の光源を同時に点灯させることができ、見苦しいと感じるような不快感を軽減することができる。
【００１５】
本発明に係る照明装置は、前記タイミング回路は、一の電源ユニットに電圧が印加された時点から、前記第１スイッチ回路が他の電源ユニットの入力側の電路を閉じるまでの時間間隔を遅延させる遅延回路を備えることを特徴とする。
【００１６】
本発明にあっては、タイミング回路は、一の電源ユニットに電圧が印加された時点から、第１スイッチ回路が他の電源ユニットの入力側の電路を閉じるまでの時間間隔を遅延させる遅延回路を備える。すなわち、遅延回路は、例えば、第１検出回路で一の電源ユニットの出力が「なし」から「あり」になった時点（検出時点）を遅延させてもよく、あるいは、第１検出回路が第１スイッチ回路に信号（第１検出回路で一の電源ユニットの出力が「なし」から「あり」になったことを示す信号）を出力する時点を遅延させてもよい。所要の時間は、例えば、０．５秒、１秒などである。遅延回路を備えることにより、一の電源ユニットにより光源が点灯する時点と、他の電源ユニットにより光源が点灯する時点とを少なくとも遅延時間の間だけずらすことができる。これにより、照明装置内の光源がすべて同時に点灯させた場合に、利用者によっては、目が慣れずまぶしく感じるような不快感を軽減することができる。
【００１７】
本発明に係る照明装置は、前記複数の電源ユニットと、該複数の電源ユニットそれぞれに電圧印加を開始する時点を異ならせるタイミング回路とを有する電源ユニットの組を少なくとも２つ備え、商用電源から電圧を印加する都度、該電圧が印加される電源ユニットの組を切り替える切替回路をさらに備えることを特徴とする。
【００１８】
本発明にあっては、複数の電源ユニットと、複数の電源ユニットそれぞれに電圧印加を開始する時点を異ならせるタイミング回路とを有する電源ユニットの組を少なくとも２つ備える。切替回路は、入力電圧を印加する都度、入力電圧が印加される電源ユニットの組を切り替える。すなわち、電源ユニットの組を少なくとも２つ備え、電源投入の毎に、異なる組の電源ユニットを動作させるので、電源投入の都度、常に動作させる場合に比べて稼働時間を少なくすることができ、電源ユニットの長寿命化を図ることができる。
【発明の効果】
【００１９】
本発明によれば、突入電流を低減することができる。
【図面の簡単な説明】
【００２０】
【図１】実施の形態１の照明装置の構成の一例を示すブロック図である。
【図２】実施の形態２の照明装置の構成の一例を示すブロック図である。
【図３】実施の形態３の照明装置の構成の一例を示すブロック図である。
【図４】実施の形態４の照明装置の構成の一例を示すブロック図である。
【図５】実施の形態５の照明装置の構成の一例を示すブロック図である。
【図６】実施の形態６の照明装置の構成の一例を示すブロック図である。
【図７】実施の形態７の照明装置の構成の一例を示すブロック図である。
【図８】実施の形態８の照明装置の構成の一例を示すブロック図である。
【図９】実施の形態９の照明装置の構成の一例を示すブロック図である。
【発明を実施するための形態】
【００２１】
（実施の形態１）
以下、本発明をその実施の形態を示す図面に基づいて説明する。図１は実施の形態１の照明装置１００の構成の一例を示すブロック図である。照明装置１００は、電源ユニット１０、１１、光源２０、２１、第１検出回路としての電圧検出回路３０、第１スイッチ回路としての開閉素子４０などを備える。
【００２２】
すなわち、照明装置１００は、一の商用電源１から入力電圧（交流電圧）が印加される複数の電源ユニット１０、１１、複数の電源ユニット１０、１１が個別に電力を供給する複数の光源２０、２１を備える。また、電圧検出回路３０及び開閉素子４０は、複数の電源ユニット１０、１１それぞれに入力電圧を印加する時点を異ならせるタイミング回路３０Ａを構成する。
【００２３】
光源２０、２１は、例えば、ＬＥＤを複数直列に接続した構成をなす。また、光源２０、２１は、ＬＥＤを複数直列に接続した直列ＬＥＤ群を複数並列に接続した構成でもよい。
【００２４】
電源ユニット１０は、例えば、交流電圧を整流する整流回路、ＤＣ／ＤＣコンバータなどを備え、所望の電力（出力電圧、出力電流）を光源２０へ供給する。他の電源ユニット１１も電源ユニット１０と同様の構成をなし、所望の電力（出力電圧、出力電流）を光源２１へ供給する。
【００２５】
電圧検出回路３０は、電源ユニット１０の出力電圧を検出する。電圧検出回路３０は、電源ユニット１０の出力電圧が所定の閾値電圧以上になった時点で、電源ユニット１０の出力が「なし」から「あり」になったとして、出力「あり」の信号を開閉素子４０へ出力する。
【００２６】
なお、電圧検出回路３０に代えて、第１検出回路として、光源２０に直列に抵抗を接続し、当該抵抗の両端電圧を検出することで光源２０に流れる電流を検出する構成とすることもできる。また、第１検出回路として、電源ユニット１０内部の電圧又は電流を検出してもよい。第１検出回路は、電源ユニット１０に入力電圧が印加されて動作を開始し、電源ユニット１０の入力側に過渡的に流れる突入電流が、ある程度減少した時点以降の時点を検出することができるものであれば、どのような構成のものでもよい。
【００２７】
図１においては、開閉素子４０を、接点として模式的に図示しているが、実際には、商用電源１と電源ユニット１１との間の電路を開閉するスイッチ（接点）、当該スイッチの開閉を行う制御回路などを含む。開閉素子４０は、電圧検出回路３０が出力した出力「あり」の信号が入力された場合、電源ユニット１１の入力側の電路を閉じる。
【００２８】
上述のような構成により、電源ユニット１０、１１に入力電圧を印加する時点は、例えば、商用周波数（５０Ｈｚ、６０Ｈｚ）の半サイクル程度ずらすことができる。一般的に、突入電流の立ち上がりから、例えば、ピーク値の１０％程度以下に減衰するまでの時間は、前述の半サイクルよりも短い。これにより、それぞれの電源ユニットに流入する突入電流のタイミングをずらすことができ、照明装置全体としての突入電流を低減することができる。
【００２９】
より具体的には、不図示の操作スイッチ等により、照明装置１００への電源が投入され、電源ユニット１０に入力電圧が印加されると、電源ユニット１０に突入電流が流れる。そして、電源ユニット１０が動作を開始して出力電圧が出力されると、電圧検出回路３０は、電源ユニット１０の出力「あり」を検出し、開閉素子４０は、他の電源ユニット１１の入力側の電路を閉じる。そして、電源ユニット１１に入力電圧が印加されるので、電源ユニット１１に突入電流が流れる。これにより、電源ユニット１０に流入する突入電流と電源ユニット１１に流入する突入電流とのタイミングをずらすことができ、従来の照明装置のように商用電源からの交流電圧を複数の電源回路にほぼ同時に印加（電源投入）した場合と比較して、照明装置全体としての突入電流を低減することができる。
【００３０】
（実施の形態２）
図２は実施の形態２の照明装置１１０の構成の一例を示すブロック図である。図２に示すように、図１の実施の形態１との相違点は、遅延回路５０を備える点である。すなわち、照明装置１１０は、実施の形態１のタイミング回路３０Ａに遅延回路５０を備えたタイミング回路３０Ｂを備える。
【００３１】
タイミング回路３０Ｂは、電圧検出回路３０で出力の有無を検出する時点を遅延させる遅延回路５０を備える。すなわち、遅延回路５０は、電源ユニット１０の出力が実際に「なし」から「あり」になった時点に対して、電圧検出回路３０で電源ユニット１０の出力が「なし」から「あり」になる時点を所要の時間だけ遅延させる。つまり、電圧検出回路３０から開閉素子４０へ出力「あり」の信号を出力するタイミングを遅延させ、結果として、電源ユニット１０に入力電圧が印加された時点から開閉素子４０が電源ユニット１１の入力側の電路を閉じるまでの時間間隔を遅延させる。例えば、第１検出回路で一の電源ユニットの出力が「なし」から「あり」になった時点（検出時点）を遅延させてもよく、あるいは、第１検出回路が第１スイッチ回路に信号（第１検出回路で一の電源ユニットの出力が「なし」から「あり」になったことを示す信号）を出力する時点を遅延させてもよい。所要の時間は、例えば、０．５秒、１秒などである。遅延回路５０を備えることにより、電源ユニット１０により光源２０が点灯する時点と、他の電源ユニット１１により光源２１が点灯する時点とを少なくとも遅延時間の間だけずらすことができる。これにより、照明装置内の光源がすべて同時に点灯させた場合に、利用者によっては、目が慣れずまぶしく感じるような不快感を軽減することができる。
【００３２】
（実施の形態３）
図３は実施の形態３の照明装置１２０の構成の一例を示すブロック図である。実施の形態１との相違点は、３個の電源ユニット１０、１１、１２を備える点である。なお、電源ユニット１２の構成は電源ユニット１０と同様であるが、電源ユニット１０の定格電力は、例えば、電源ユニット１１、１２の定格電力よりも大きいとすることができ、突入電流も電源ユニット１０の方が電源ユニット１１、１２のよりも大きいものとすることができる。
【００３３】
図３に示すように、タイミング回路３０Ｃは、一の電源ユニットとしての電源ユニット１０の出力の有無を検出する電圧検出回路３０、他の電源ユニットとしての残りの電源ユニット１１、１２それぞれの入力側の電路を開閉する開閉素子４０、４１などを備える。
【００３４】
そして、例えば、不図示の操作スイッチ等により、照明装置１２０への電源が投入され、電源ユニット１０に入力電圧が印加されると、電源ユニット１０に突入電流が流れる。そして、電源ユニット１０が動作を開始して出力電圧が出力されると、電圧検出回路３０は、電源ユニット１０の出力「あり」を検出し、開閉素子４０、４１に出力「あり」の信号を出力する。開閉素子４０、４１は、出力「あり」の信号が入力されると、他の電源ユニット１１、１２の入力側の電路を閉じる。そして、電源ユニット１１、１２に入力電圧が印加されるので、電源ユニット１１、１２に突入電流が流れる。これにより、電源ユニット１０に流入する突入電流と電源ユニット１１、１２に流入する突入電流とのタイミングをずらすことができ、照明装置全体としての突入電流を低減することができる。
【００３５】
特に、電源ユニット１１、１２の定格容量が比較的小さく、一方で電源ユニット１０の定格容量が大きい場合には、電源ユニット１０の突入電流は大きく、電源ユニット１１、１２の突入電流は比較的小さいので、電源ユニット１０に入力電圧が印加されるタイミングと、電源ユニット１１、１２に入力電圧が印加されるタイミングをずらすことにより、照明装置全体としての突入電流を小さくすることができる。
【００３６】
（実施の形態４）
図４は実施の形態４の照明装置１３０の構成の一例を示すブロック図である。実施の形態１との相違点は、３個の電源ユニット１０、１１、１２を備える点である。なお、電源ユニット１２の構成は電源ユニット１０と同様であり、電源ユニット１０、１１、１２の定格電力は同等とすることができる。
【００３７】
図４に示すように、タイミング回路３０Ａは、一の電源ユニットとしての電源ユニット１０の出力の有無を検出する電圧検出回路３０、他の電源ユニットとしての電源ユニット１１の入力側の電路を開閉する開閉素子４０などを備える。また、タイミング回路３０Ｄは、一の電源ユニットとしての電源ユニット１１の出力の有無を検出する電圧検出回路３１、他の電源ユニットとしての電源ユニット１２の入力側の電路を開閉する開閉素子４１などを備える。
【００３８】
例えば、不図示の操作スイッチ等により、照明装置１３０への電源が投入され、電源ユニット１０に入力電圧が印加されると、電源ユニット１０に突入電流が流れる。電源ユニット１０が動作を開始して出力電圧が出力されると、電圧検出回路３０は、電源ユニット１０の出力「あり」を検出し、開閉素子４０は、他の電源ユニット１１の入力側の電路を閉じる。電源ユニット１１に入力電圧が印加されると、電源ユニット１１に突入電流が流れる。そして、電源ユニット１１が動作を開始して出力電圧が出力されると、電圧検出回路３１は、電源ユニット１１の出力「あり」を検出し、開閉素子４０、４１に出力「あり」の信号を出力する。開閉素子４１は、出力「あり」の信号が入力されると、他の電源ユニット１２の入力側の電路を閉じる。電源ユニット１２に入力電圧が印加されるので、電源ユニット１２に突入電流が流れる。これにより、電源ユニット１０、１１、１２それぞれに流入する突入電流のタイミングをずらすことができ、照明装置全体としての突入電流を低減することができる。
【００３９】
特に、電源ユニット１０、１１、１２の定格容量が同等である場合、それぞれの電源ユニット１０、１１、１２の突入電流も同程度であるので、電源ユニット１０、１１、１２それぞれに入力電圧が印加されるタイミングをずらすことにより、照明装置全体としての突入電流を小さくすることができる。
【００４０】
（実施の形態５）
図５は実施の形態５の照明装置１４０の構成の一例を示すブロック図である。実施の形態１との相違点は、同期回路６０Ａを備える点である。同期回路６０Ａは、複数の光源２０、２１に電力を供給する時点を同期する。つまり、同期回路６０Ａは、複数の光源２０、２１に略同時に電力を供給することで、光源２０、２１が略同時に点灯するように制御する。略同時とは、少なくとも商用周波数（５０Ｈｚ、６０Ｈｚ）の半サイクル未満の時間であり、例えば、１ｍｓ程度以下である。
【００４１】
実施の形態１のように、複数の電源ユニット１０、１１それぞれに入力電圧を印加する時点を異ならせた場合、それぞれの光源２０、２１が点灯開始する時点も異なる。利用者によっては、１つの照明装置内で、光源の点灯開始時間がずれることは見苦しいと感じることもある。同期回路６０Ａを備えることにより、照明装置内の光源を同時に点灯させることができ、見苦しいと感じるような不快感を軽減することができる。なお、同期回路６０Ａは、実施の形態１だけでなく、前述の実施の形態２〜４にも適用することができる。
【００４２】
以下、同期回路６０Ａについて説明する。同期回路６０Ａは、電源ユニット１０の出力を検出して、検出回路６０に出力「あり」の信号を出力する第２検出回路としての電圧検出回路３０、電源ユニット１１の出力を検出して、検出回路６０に出力「あり」の信号を出力する第２検出回路としての電圧検出回路３１、電圧検出回路３０、３１からの出力「あり」の信号が入力されることにより電源ユニット１０、１１の両者の出力「あり」を検出する検出回路６０、電源ユニット１０、１１とそれぞれの光源２０、２１との間の電路を開閉する第２スイッチ回路としての開閉素子７０、７１などを備える。
【００４３】
電圧検出回路３０は、電源ユニット１０の出力があった場合、出力「あり」の信号を検出回路６０へ出力し、電圧検出回路３１は、電源ユニット１１の出力があった場合、出力「あり」の信号を検出回路６０へ出力する。これにより、検出回路６０は、電源ユニット１０、１１の両方の出力が「なし」から「あり」になった状態を検出することができる。
【００４４】
図５においては、開閉素子７０、７１を、接点として模式的に図示しているが、実際には、電源ユニット１０、１１とそれぞれの光源２０、２１との間の電路を開閉するスイッチ（接点）、当該スイッチの開閉を行う制御回路などを含む。また、電圧検出回路３０は、タイミング回路３０Ａを構成する第１検出回路の機能も兼ねている。
【００４５】
電圧検出回路３０、３１ですべての電源ユニットの出力「あり」を検出した場合、より具体的には、検出回路６０が電源ユニット１０、１１の両方の出力が「あり」であることを検出した場合、すべての電源ユニット１０、１１とそれぞれの光源２０、２１との間の電路を略同時に閉じる。これにより、照明装置全体としての突入電流を小さくするとともに、すべての電源ユニットからそれぞれの光源に略同時に電力を供給することができ、照明装置内の光源を同時に点灯させることができ、見苦しいと感じるような不快感を軽減することができる。
【００４６】
(実施の形態６)
図６は実施の形態６の照明装置１５０の構成の一例を示すブロック図である。実施の形態５との相違点は、タイミング回路３０Ａを具備しない点である。同期回路６０Ａの構成、動作は実施の形態５と同様であるので、説明を省略する。実施の形態６では、すべての電源ユニットからそれぞれの光源に略同時に電力を供給することができるので、照明装置内の光源を略同時に点灯させることができ、見苦しいと感じるような不快感を軽減することができる。
【００４７】
(実施の形態７)
図７は実施の形態７の照明装置１６０の構成の一例を示すブロック図である。実施の形態１〜５では、タイミング回路は、電源ユニットの出力の有無を検出する構成であったが、実施の形態７では、タイミング回路８０Ａを電源ユニットの出力側ではなく、入力側に設けている。
【００４８】
すなわち、タイミング回路８０Ａは、一の商用電源１からの入力電圧を検出する入力電圧検出回路８０、電源ユニット１０、１１それぞれの入力側の電路を開閉する第１スイッチ回路としての開閉素子４５、４０などを備える。
【００４９】
入力電圧回路８０は、タイマ回路を備え、電源投入により入力電圧が印加されたことを検出すると、まず、開閉素子４５を閉じるべく信号を開閉素子４５へ出力し、タイマで計時した所定の時間（例えば、５０Ｈｚ、６０Ｈｚの半サイクル程度）経過後に開閉素子４０を閉じるべく信号を開閉素子４０へ出力する。
【００５０】
これにより、電源ユニット１０に流入する突入電流と電源ユニット１１に流入する突入電流とのタイミングをずらすことができ、照明装置全体としての突入電流を低減することができる。
【００５１】
(実施の形態８)
図８は実施の形態８の照明装置１７０の構成の一例を示すブロック図である。実施の形態８では、複数の電源ユニットと、複数の電源ユニットそれぞれに電圧印加を開始する時点を異ならせるタイミング回路とを有する電源ユニットの組を少なくとも２つ備える。すなわち、図８に示すように、第１の組１０Ａは、電源ユニット１０、１１、タイミング回路３０Ａを備え、第２の組１０Ｂも電源ユニット１０、１１、タイミング回路３０Ａを備える。また、照明装置１７０は、光源２０、２１の組を２組、切替回路９０、開閉素子４５、４６を備える。
【００５２】
一方の系統は、一の商用電源１から入力電圧（交流電圧）が印加される複数の電源ユニット１０、１１、複数の電源ユニット１０、１１が個別に電力を供給する複数の光源２０、２１を備える。また、電圧検出回路３０及び開閉素子４０で構成されるタイミング回路３０Ａを備える。また、他方の系統も、一の商用電源１から入力電圧（交流電圧）が印加される複数の電源ユニット１０、１１、複数の電源ユニット１０、１１が個別に電力を供給する複数の光源２０、２１、電圧検出回路３０及び開閉素子４０で構成されるタイミング回路３０Ａを備える。
【００５３】
また、一方の系統の入力側の電路には開閉素子４５を設けてあり、他方の系統の入力側の電路には開閉素子４６を設けてある。切替回路９０は、不図示の操作スイッチ等により、照明装置１７０への電源が投入され、入力電圧が印加される都度、順番に開閉素子４５、４６のいずれかを閉じることにより、入力電圧を印加する電源ユニットの組を切り替える。すなわち、複数の電源ユニットで構成する電源ユニットの組を少なくとも２つ備え、また、それぞれの電源ユニットの組に対応して２組の光源を備える。電源投入の毎に異なる組の電源ユニットを動作させるので、電源投入の都度、常に動作させる場合に比べて稼働時間を少なくすることができ、電源ユニット及び光源の長寿命化を図ることができる。
【００５４】
（実施の形態９）
図９は実施の形態９の照明装置１８０の構成の一例を示すブロック図である。実施の形態８との相違点は、光源２０、２１は２組ではなく、１組備える点である。実施の形態９では、切替回路９０は、不図示の操作スイッチ等により、照明装置１８０への電源が投入され、入力電圧が印加される都度、順番に開閉素子４５、４６のいずれかを閉じることにより、入力電圧を印加する電源ユニットの組を切り替える。すなわち、複数の電源ユニットで構成する電源ユニットの組を少なくとも２つ備え、電源投入の毎に異なる組の電源ユニットを動作させるので、電源投入の都度、常に動作させる場合に比べて稼働時間を少なくすることができ、電源ユニットの長寿命化を図ることができる。
【００５５】
上述の実施の形態では、それぞれの光源を同時に点灯させるために、例えば、マイクロコンピュータによる制御ではなく、比較的簡易な回路構成で実現することができるので、マイクロコンピュータにより電源回路の出力タイミングを調整（同期）する場合に比べて、マイクロコンピュータ及びマイクロコンピュータに付随する特別な回路が不要となり、装置のコストを低減することができる。
【００５６】
上述の実施の形態では、ＬＥＤを光源として用いる例を説明したが、ＬＥＤに限定されず、ＥＬ（Electro-Luminescence）等の他の光源を用いてもよい。
【符号の説明】
【００５７】
１０、１１、１２  電源ユニット
２０、２１、２２  光源
３０、３１  電圧検出回路
３０Ａ、３０Ｂ、３０Ｃ、３０Ｄ  タイミング回路
４０、４１、４２、４５、４６  開閉素子
５０  遅延回路
６０Ａ  同期回路
６０  検出回路
７０、７１  開閉素子
８０  入力電圧検出回路
８０Ａ  タイミング回路
９０  切替回路
【図１】
2013251077.tif 000003
【図２】
2013251077.tif 000004
【図３】
2013251077.tif 000005
【図４】
2013251077.tif 000006
【図５】
2013251077.tif 000007
【図６】
2013251077.tif 000008
【図７】
2013251077.tif 000009
【図８】
2013251077.tif 000010
【図９】
2013251077.tif 000011